(57)【要約】      （修正有）【課題】製造コストが極めて安く、そのまま広げるだけで使用できる、会議用長テーブルに好適なテーブルクロスを提供する。【解決手段】０．５〜３ｍｍの厚さのシート状に成形された不織布からなり、会議用長テーブルの正面側、平面側、右側面側及び左側面側の全部、さらに右側面側、左側面側のそれぞれから続く背面側の一部、平面側から続く背面側の一部を展開時にそのまま覆うことができるように縫製されていることを特徴とするテーブルクロス。該テーブルクロスにはテーブルの脚に固定するためのひもを取り付けることができる。本テーブルクロスは、例えば運動会、発表会、集会所での集会、会議、店舗イベントの野外での商品販売、展示会、葬祭の受付などに使用することができる。【選択図】図２
0003172344.tif 000002
【実用新案登録請求の範囲】
【請求項１】
０．５〜３ｍｍの厚さのシート状に成形された不織布からなり、会議用長テーブルの正面側、平面側、右側面側及び左側面側の全部、さらに右側面側、左側面側のそれぞれから続く背面側の一部、平面側から続く背面側の一部を展開時にそのまま覆うことができるように縫製されていることを特徴とするテーブルクロス。
【請求項２】
右側面側、左側面側のそれぞれから続く背面側の一部の覆われる部分が５〜２０ｃｍの幅にわたり、平面側から続く背面側の一部の覆われる部分が３〜１０ｃｍの幅にわたることを特徴とする請求項１に記載のテーブルクロス。
【請求項３】
不織布がポリエチレン繊維から構成され、縫製糸がポリエステル繊維から構成されることを特徴とする請求項１又は２に記載のテーブルクロス。
【請求項４】
テーブルの脚に固定するためのひもが取り付けられていることを特徴とする請求項１〜３のいずれかに記載のテーブルクロス。
【考案の詳細な説明】
【技術分野】
【０００１】
本考案は、製造コストが極めて安く、外観や肌触りに優れる、会議用長テーブルに好適なテーブルクロスに関する。
【背景技術】
【０００２】
従来のテーブルクロスは、織物から作られるか、またはビニール製のものが主流である（例えば特許文献１参照）。しかし、織物を使用したものは、外観や肌触りに優れるが、極めてコストが高い問題があった。一方、ビニール製のものは織物より安く作れるが、外観や肌触りに問題があった。
【０００３】
また、テーブルクロスは、一般的な食卓や机用に作成したものは多く提案されているが、会議用長テーブルに適したテーブルクロスは全く販売されておらず、使用時に高価な織物生地をテーブルに合わせて折って使用しているのが現状である。
【先行技術文献】
【特許文献】
【０００４】
【特許文献１】特開２００９−１０１００５号
【考案の概要】
【考案が解決しようとする課題】
【０００５】
本考案は、かかる従来技術の現状に鑑み創案されたものであり、その目的は、製造コストが極めて安く、会議用長テーブルにそのまま使用するのに好適なテーブルクロスを提供することにある。
【課題を解決するための手段】
【０００６】
本考案者は、かかる目的を達成するために鋭意検討した結果、テーブルクロスの素材を不織布で構成し、会議用長テーブルを覆うのに適した形態に縫製することにより、製造コストが安く、消費者がすぐに使用しやすい、会議用長テーブルに好適なテーブルクロスを提供できることを見い出し、本考案の完成に至った。
【０００７】
即ち、本考案は、以下の（１）〜（４）で構成されるものである。
（１）０．５〜３ｍｍの厚さのシート状に成形された不織布からなり、会議用長テーブルの正面側、平面側、右側面側及び左側面側の全部、さらに右側面側、左側面側のそれぞれから続く背面側の一部、平面側から続く背面側の一部を展開時にそのまま覆うことができるように縫製されていることを特徴とするテーブルクロス。
（２）右側面側、左側面側のそれぞれから続く背面側の一部の覆われる部分が５〜２０ｃｍの幅にわたり、平面側から続く背面側の一部の覆われる部分が３〜１０ｃｍの幅にわたることを特徴とする（１）に記載のテーブルクロス。
（３）不織布がポリエチレン繊維から構成され、縫製糸がポリエステル繊維から構成されることを特徴とする（１）又は（２）に記載のテーブルクロス。
（４）テーブルの脚に固定するためのひもが取り付けられていることを特徴とする（１）〜（３）のいずれかに記載のテーブルクロス。
【考案の効果】
【０００８】
本考案のテーブルクロスは、シート状に成形された不織布からなるので、織布に比べて格段に安く製造することができ、しかも会議用長テーブルに即時使用できる形態で縫製されているので、使い勝手に極めて優れる。
【図面の簡単な説明】
【０００９】
【図１】本考案のテーブルクロスの一例の断面図を示す。
【図２】本考案のテーブルクロスの使用状態の正面、平面、左側面を示す。
【図３】本考案のテーブルクロスの使用状態の背面、平面、右側面を示す。
【考案を実施するための形態】
【００１０】
本考案のテーブルクロスは、会議用長テーブルを覆うために使用され、シート状に成形された不織布からなることを特徴とする。本考案のテーブルクロスは、イベント関係全般に使用されることができ、例えば運動会、発表会、集会所での集会、会議、店舗イベントの野外での商品販売、展示会、葬祭の受付などに使用されることができる。会議用長テーブルの例としては、幅１８００ｍｍ×奥行４５０ｍｍ×高さ７００ｍｍのサイズで、必要により棚が付いているものが挙げられる。本考案のテーブルクロスは、用途に応じて例えば白色、赤色、黒色に染色することができる。
【００１１】
本考案のテーブルクロスに使用される不織布は、従来の布のように糸を織ったり、編んだりして作ったものとは異なり、繊維集合体から糸の段階を経ず直接布状としたものである。本考案では、テーブルクロスの使用に適切である限り、従来公知のいずれの不織布も使用可能である。
【００１２】
不織布は、０．５〜３ｍｍの厚さのシート状に成形されることが好ましく、その目付は５０〜１２０ｇ／ｍ２であることが好ましい。不織布の構成繊維は、天然繊維から化学繊維まで種々の繊維を用いることができ、一般に綿、レーヨン、ポリエステル、ポリエチレン、ポリプロピレン、ナイロン、アクリルなどの繊維、特にポリエチレン樹脂を使用することができる。
【００１３】
不織布の製造方法としては、使用する繊維や求める特性に応じてスパンボンド、ケミカルボンド、ニードルパンチ、スパンレースなどの従来公知の方法を採用することができる。不織布は、織布に比べて格段に生産速度が速く、労働力、設備コストの負担が少ないため、極めて安価に製造することができる。また、通気性に優れるとともに、吸水性、撥水性、耐洗濯性、抗菌、防臭などの機能を容易に持たせることができる。
【００１４】
図１は、本考案のテーブルクロスの一例の断面図である。図１では、シート状の不織布の表面が格子状に凹凸加工を施されており、表面の外観、手触りを向上させている。図２、図３は、本考案のテーブルクロスの使用例をテーブルの前方斜めと後方斜めの二方向から示し、テーブルクロスが幅１８００ｍｍ×奥行４５０ｍｍ×高さ７００ｍｍの会議用長テーブルを覆うように被せられている。
【００１５】
本考案のテーブルクロスは、そのまま広げるだけで会議用長テーブルに上から簡単に被せることができることを特徴とする。そのために、本考案のテーブルクロスは、会議用長テーブルの正面側、平面側、右側面側及び左側面側の全部、さらに右側面側、左側面側のそれぞれから続く背面側の一部、平面側から続く背面側の一部を展開時にそのまま覆うことができるように縫製されている。この場合、本考案のテーブルクロスは、右側面側、左側面側のそれぞれから続く背面側の一部の覆われる部分が５〜２０ｃｍの幅にわたり、平面側から続く背面側の一部の覆われる部分が３〜１０ｃｍの幅にわたることが好ましい。縫製箇所の例としては、図２及び図３の黒い太線で示された部分が挙げられる。また、不織布の端部は、適宜折り曲げて縫製されてもよい。縫製糸は、強度の点でポリエステル繊維を使用することが好ましい。
【００１６】
本考案のテーブルクロスは、テーブルの脚に固定するためのひもを具備することが好ましい。これによりテーブルクロスをテーブルにしっかりと固定することができ、風の強い屋外等でも安心して使用することができる。
【産業上の利用可能性】
【００１７】
本考案のテーブルクロスは、安価な不織布で構成され、しかもそのまま広げて被せるだけで使用できるように縫製されているので、使い捨て感覚で簡単に会議用長テーブルに使用することができ、当該産業に寄与すること大である。
【図１】
0003172344.tif 000003
【図２】
0003172344.tif 000004
【図３】
0003172344.tif 000005